(57)【要約】【課題】  シャクリ操作において脇への圧迫感を抑制しながら、安定した操作を長時間に亘って行えるものを提供する。【解決手段】  手元側ロッド２と釣り人の脇との間に位置して、手元側ロッド２の脇への圧迫感を緩和すべく変形自在に構成された釣り用のクッション材６を、釣り用ロッドＡのリアグリップ５の位置に取り付けてある。【選択図】        図１
2007202528.tif 000002
【特許請求の範囲】
【請求項１】
釣り人に保持された手元側ロッドと前記釣り人の脇との間に位置して、前記手元側ロッドの前記脇への圧迫感を緩和すべく変形自在に構成された釣り用のクッション材。
【請求項２】
前記手元側ロッドにおける、脇に挟まれて保持されるロッド保持位置に、前記釣り用のクッション材を設けてある請求項１記載の釣り用ロッド。
【請求項３】
前記ロッド保持位置に対して着脱自在な請求項２記載の釣り用のクッション材。
【発明の詳細な説明】
【技術分野】
【０００１】
本発明は、脇の下に手元側ロッドを抱え込み、メタルジグ等のルアーをシャクリ操作する釣り竿等に用いられる釣り用部材に関する。
【背景技術】
【０００２】
ルアーをシャクリ操作する釣り人は、手元側ロッドに形成されたリアーグリップ部分等のロッド保持部を脇の下に抱えて行っている。そして、そのリアーグリップ部分はコルク或いは硬めの発泡樹脂性材料等の把持し易い軟質材料で作られている（特許文献１参照）。
【０００３】
【特許文献１】特開２００３−１８９７６５号公報（段落番号〔００１３〕、図３）
【発明の開示】
【発明が解決しようとする課題】
【０００４】
シャクリ操作を行う場合に、釣り人が脇に抱える部分がコルク等で形成された部分であるので、長くその操作を継続すると、脇をそのリアーグリップ部分等のロッド保持部分が圧迫することとなり、安定した操作ができ難くなっていた。
【０００５】
本発明の目的は、シャクリ操作において脇への圧迫感を抑制しながら、安定した操作を長時間に亘って行えるものを提供する点にある。
【課題を解決するための手段】
【０００６】
〔構成〕
請求項１に係る発明の特徴構成は、釣り人に保持された手元側ロッドと前記釣り人の脇との間に位置して、前記手元側ロッドの前記脇への圧迫感を緩和すべく変形自在に構成された点にあり、その作用効果は次の通りである。
【０００７】
〔作用〕
釣り人の脇と手元側ロッドとの間にクッション材を介在させた状態で、釣り用ロッドを保持しているので、手元側ロッドが直接脇に当接することはない。手元側ロッドの脇に向かう圧力はクッション材によって吸収されて弱まり、弱まった状態で脇に作用する。
クッション材が手元側ロッドを抱える釣り人の腕の動きにも、変形することによって追従するものであるので、手元側ロッドの保持力を維持できて、安定した保持が行える。
【０００８】
〔効果〕
したがって、脇への圧迫感は軽減されるところから、釣り人は痛みを感ずることを少なくした状態で、長時間に亘って釣り操作を行うことができる。
しかも、クッション材が弾性的に変形するので、手元側ロッドの保持が安定する。
【０００９】
請求項２に係る発明の特徴構成は、請求項１に係る発明において、前記手元側ロッドにおける、脇に挟まれて保持されるロッド保持位置に、前記釣り用のクッション材を設けてある点にあり、その作用効果は次の通りである。
【００１０】
〔作用効果〕
つまり、釣り竿にクッション材を装備することとなるので、クッション材を携行する必要がなく、扱いが便利である。
【００１１】
請求項３に係る発明の特徴構成は、請求項２に係る発明において、クッション材を前記ロッド保持位置に対して着脱自在に構成してある点にあり、その作用効果は次の通りである。
【００１２】
〔作用効果〕
既存の釣り竿に対してもクッション材を適用することができ、クッション材を広く使用することができる。
新規に製作される釣り竿であっても、クッション材が損傷等した場合でも、取り換えやメインテナンスが容易に行える。
【発明を実施するための最良の形態】
【００１３】
〔第１実施形態〕
メタルジグと呼ばれるルアーを取り付けて操作されるメタルジグ用の釣り用ロッドＡについて説明する。図１に示すように、釣り糸ガイドを備えた細径の竿先側ロッド１と大径の手元側ロッド２とからなる釣り用ロッドＡにおいて、手元側ロッド２にはフロントグリップ３、可動フード４Ａ及び固定フード４Ｂを備えたスピニングリール装着用のリールシート４、リールシート４の後方側にリアグリップ５が装備されている。
【００１４】
リアグリップ５に装着されるクッション材６について説明する。図１（ロ）（ハ）に示すように、クッション材６は、リアグリップ５の外周面に巻き付けられるクッション本体部６Ａと、クッション本体部６Ａに取り付けられた着脱用ベルト６Ｂとで構成されている。クッション本体部６Ａには二つの盛り上がり部６ａ、６ａが設けてあり、盛り上がり部６ａ、６ａの中間位置に凹入部６ｂが形成されている。
【００１５】
図１（ロ）（ハ）に示すように、着脱用ベルト６Ｂは、ベルト本体６ｃとベルト本体６ｃの先端部に装備される着脱自在な着脱具６ｄとを有している。着脱具６ｄとしては、クッション本体部６Ａとベルト本体６ｃの先端部とに設けられる面ファスナーで構成されるが、必ずしもこの面ファスナーに限られるものではなく、バックル式の止具であってもよい。
【００１６】
クッション材６のクッション本体部６Ａとしては、ナイロン、塩化ビニールやポリエチレン等の合成樹脂製の布製品で構成するとともに、表面に撥水処理を施したものを使用する。また、ベルト本体６ｃとしては、皮革製品を利用して構成する。
【００１７】
以上のような構成になるクッション材６をロッド保持位置に該当するリアグリップ５に装着するには、柔軟性の高いクッション本体部６Ａをリアグリップ５に巻き付けた状態でベルト式の着脱具６ｄで締付固定する。
クッション材６を装備した釣り用ロッドＡを操作する釣り人は、クッション材６を施した部分を脇で挟み、フロントグリップ３に一方の手を添え、他方の手でリール操作を行いながら、釣り用ロッドＡを振り上げるシャクリ操作を行う。
【００１８】
シャクリ操作は、激しくロッドＡを引き上げる操作であり、仕掛けの先端に取り付けたルアーとしてのメタルジグが着床した状態を感知すると、釣り人はシャクリ操作を繰り返してメタルジグにジィギングアクションをつけて魚の食い気を誘発させる操作である。
【００１９】
クッション材６を装着した部分を脇に挟む場合に、クッション材６の凹入部６ｂの部分に腕を回して締め付ける状態で固定する。そうすると、二つの盛り上がり部６ａ、６ａが腕を前後から挟み込むように位置するので、釣り用ロッドＡの姿勢が安定する。
【００２０】
クッション材６のクッション本体部６Ａには空気弁機構Ｂが設けてあり、クッション材６の内部空間に空気を投入して、クッション材本体部６Ａの脇への馴染み性を高めることができる。
【００２１】
〔第２実施形態〕
第１実施形態においては、着脱自在なクッション材６について説明したが、この第２実施形態においては、釣り用ロッドＡのリアグリップ部分に直接取り付け固定する固定式のクッション材６について説明する。
図２（イ）に示すように、固定式のクッション材６としては、クッション本体部６Ａを二重円筒状のものに形成し、内側円筒部分の内部空間の軸線位置に同心状の貫通孔６Ｃを形成する。
この貫通孔６Ｃ部分を釣り用ロッドＡのロッド保持位置となるリアグリップ相当部分に外嵌させて、クッション材６を接着等固定する。
【００２２】
図２（ロ）に示すように、釣り用ロッドＡのリアグリップ相当部分においては、通常のリアグリップ５のようにウレタンやエポキシ等の樹脂や軟質のゴム等を組み合わせた軟質製のリアグリップ５を形成して、リアグリップ５の上からクッション部材６を装着してもよいが、図３に示すように、軟質製のリアグリップを形成せずに、直接ロッド素材２Ａにクッション材６を外嵌させて接着固定してもよい。
【００２３】
上記したように、直接ロッド素材２Ａにクッション材６を外嵌固定する場合においては、必ずしも二重円筒状に形成する必要はない。つまり、図３に示すように、クッション材６として有底の筒状体を形成し、両底部の軸芯位置に開口６ｆを形成して、両開口部分６ｆ,６ｆを介してロッド素材２Ａに外嵌させてクッション材６をロッド素材２Ａに直接外嵌固定する構成を採ってもよい。
クッション材６で覆い切れないロッド素材２Ａの部分には、通常のリアグリップ５を形成する。
【００２４】
第１実施形態では、クッション部材６の外面に二つの盛り上がり部６ａ、６ａを形成したが、この第２実施形態においては、図２（イ）に示すように、外面を凹凸面６ｇに形成する。これによって、凸面部がより撓み易くなり、脇に当る当接面圧を低下させて、脇が痛くなることを抑制できる。
【００２５】
〔別実施形態〕
（１）クッション材６を着脱自在に構成する対象としては、釣り用のベストを選択できる。つまり、図示してはいないが、釣り用ベストの両腕を挿通する開口縁近傍の４箇所に面ファスナー等を配置し、面ファスナーに平板状のクッション材６を貼り付けて構成する。シャクリ操作を行う場合には、面ファスナーの一部を解除してクッション材６の一端を釣り用ベストに取り付けた状態を維持しながら他端を揺動開放し、そのクッション材６を手元側ロッド２のロッド保持位置に巻き付けて、その巻き付けたクッション材６を脇と腕で挟み込むように構成する。
（２）  クッション材６を着脱自在に構成する対象としては、釣り用のベストを選択できる。
【図面の簡単な説明】
【００２６】
【図１】（イ）は釣り用ロッドを示す側面図、（ロ）は着脱自在なクッション材を示し、クッション材を手元側ロッドのリアグリップに装着した状態を示す一部切り欠き側面図、（ハ）は（ロ）における縦断正面図
【図２】手元側ロッドのリアグリップに装着固定するクッション材を示し、（イ）はクッション材を手元側ロッドのリアグリップに装着した状態を示す側面図、（ロ）はクッション材を手元側ロッドのリアグリップに装着した状態を示す縦断正面図
【図３】手元側ロッドのロッド素材部分に直接装着固定するクッション材を示す縦断側面図
【符号の説明】
【００２７】
２            手元側ロッド
６            クッション材
【図１】
2007202528.tif 000003
【図２】
2007202528.tif 000004
【図３】
2007202528.tif 000005